(57)【要約】【課題】より安定した充電動作を行うことができる充電台および無線電話機を提供する。【解決手段】充電台は、電気接触面の表出したハンドセットの受電部が挿入される凹部を有する本体部と、ねじりコイルばねにより形成されて凹部に設けられ、受電部の挿入動作に伴って電気接触面を相対的に摺動し、受電部の挿入完了により摺動を停止した位置で電気接触面に導通接続される第１の充電台側端子と、ねじりコイルばねにより形成されて凹部に設けられ、受電部の挿入動作に伴って電気接触面を相対的に摺動する第２の充電台側端子と、を備える。【選択図】図７
2020129875.tif 000002
【特許請求の範囲】
【請求項１】
電気接触面の表出するハンドセットの受電部が挿入される凹部を有する本体部と、
ねじりコイルばねにより形成されて前記凹部に設けられ、前記受電部の挿入動作に伴って前記電気接触面を相対的に摺動し、前記受電部の挿入完了により前記摺動を停止した位置で前記電気接触面に導通接続される第１の充電台側端子と、
ねじりコイルばねにより形成されて前記凹部に設けられ、前記受電部の挿入動作に伴って前記電気接触面を相対的に摺動する第２の充電台側端子と、を備える、
充電台。
【請求項２】
電気接触面の表出するハンドセットの受電部が挿入される凹部を有する本体部と、
ねじりコイルばねにより形成されて前記凹部に設けられ、前記受電部の挿入動作に伴って前記電気接触面を相対的に摺動する２本の充電台側端子と、を備え、
第１の前記充電台側端子は、前記受電部の挿入動作により最初に摺動し、
第２の前記充電台側端子は、前記受電部の挿入完了により、第１の前記充電台側端子が摺動した後の前記電気接触面の摺動済み面に導通接続される、
充電台。
【請求項３】
電気接触面の表出するハンドセットの受電部が挿入される凹部を有した本体部と、
ねじりコイルばねにより形成されて前記凹部に設けられ、前記受電部の挿入動作に伴って前記電気接触面を相対的に摺動し、前記受電部の挿入完了によりそれぞれ前記電気接触面に導通接続される２本の充電台側端子と、を備える、
充電台。
【請求項４】
前記充電台側端子を覆う位置と前記充電台側端子を表出させる位置とにわたって前記凹部に移動自在に設けられ、前記凹部に挿入される前記受電部に押圧されて前記充電台側端子を表出させる位置に移動されるカバー、を更に備える、
請求項２または３に記載の充電台。
【請求項５】
第１の前記充電台側端子は、前記電気接触面から外れた位置で停止する、
請求項２に記載の充電台。
【請求項６】
第１の前記充電台側端子の前記電気接触面に対する押圧力は、第２の前記充電台側端子の前記電気接触面に対する押圧力よりも大きい、
請求項２または５に記載の充電台。
【請求項７】
第１の前記充電台側端子のばね荷重が第２の前記充電台側端子のばね荷重よりも大きい、
請求項２、５または６のうちいずれか一項に記載の充電台。
【請求項８】
請求項１〜３のうちいずれか一項に記載の充電台と、
前記電気接触面を表出させた前記受電部が前記凹部に挿入されるハンドセットと、を備える、
無線電話機。
【発明の詳細な説明】
【技術分野】
【０００１】
本開示は、充電台および無線電話機に関する。
【背景技術】
【０００２】
装置本体に設けられる端子または電極などの固定側端子と、基台に設けられる端子または電極などの可動側端子とを確実に接触させて、電気的に接続することができるクリーニング機能を有する接点装置が知られている（例えば特許文献１）。この接点装置では、装置本体の下部に固定側端子が設けられ、基台の嵌合凹部に可動側端子が設けられる。可動側端子は、嵌合凹部から突出した突出位置と、突出位置よりも嵌合凹部側へ退避した退避位置とにわたって変位自在に配置される可動接触部を有する。装置本体の基台への装着によって可動接触部が突出位置から退避位置へ押圧されると、可動接触部は、固定側端子に接触した状態で、一方向へ移動した後、他方向へ移動することによってセルフクリーニングし、固定側端子に付着していた異物などによる汚れの再付着を防止し、固定側端子と可動側端子との確実な電気的接触を達成する。
【先行技術文献】
【特許文献】
【０００３】
【特許文献１】特開２０１２−２４８３７３号公報
【発明の概要】
【発明が解決しようとする課題】
【０００４】
しかしながら、特許文献１のクリーニング機能を有する接点装置では、装置本体が基台の嵌合凹部に装着されると、可動接触部が固定側端子に沿って一方向へ移動した後、移動方向が反転して他方向へ移動する。可動接触部の一方向の移動によって、固定側端子に付着した汚れを除去した後の固定側端子に、同一の可動接触部が他方向へ移動して再び接触する動作は、粘度の低い異物の除去に対しては効果的であるが、粘性の高い異物の除去に対しては望ましくない場合がある。例えば中華料理店等の使用環境下においては、粘着力の強い油性の汚れが、移動方向の反転に伴って、可動接触部に付着したまま他方向へ移動してしまうことが懸念される。この場合、異物が残着した状態で可動接触部と固定側端子とが電気的に接触するため、安定した充電動作が行えない可能性がある。
【０００５】
本開示は、上述した従来の状況に鑑みて案出され、より安定した充電動作を行うことができる充電台および無線電話機を提供することを目的とする。
【課題を解決するための手段】
【０００６】
本開示は、電気接触面の表出するハンドセットの受電部が挿入される凹部を有する本体部と、ねじりコイルばねにより形成されて前記凹部に設けられ、前記受電部の挿入動作に伴って前記電気接触面を相対的に摺動し、前記受電部の挿入完了により前記摺動を停止した位置で前記電気接触面に導通接続される第１の充電台側端子と、ねじりコイルばねにより形成されて前記凹部に設けられ、前記受電部の挿入動作に伴って前記電気接触面を相対的に摺動する第２の充電台側端子と、を備える、充電台を提供する。
【０００７】
また、本開示は、電気接触面の表出するハンドセットの受電部が挿入される凹部を有する本体部と、ねじりコイルばねにより形成されて前記凹部に設けられ、前記受電部の挿入動作に伴って前記電気接触面を相対的に摺動する２本の充電台側端子と、を備え、第１の前記充電台側端子は、前記受電部の挿入動作により最初に摺動し、第２の前記充電台側端子は、前記受電部の挿入完了により、第１の前記充電台側端子が摺動した後の前記電気接触面の摺動済み面に導通接続される、充電台を提供する。
【０００８】
また、本開示は、電気接触面の表出するハンドセットの受電部が挿入される凹部を有する本体部と、ねじりコイルばねにより形成されて前記凹部に設けられ、前記受電部の挿入動作に伴って前記電気接触面を相対的に摺動し、前記受電部の挿入完了によりそれぞれ前記電気接触面に導通接続される２本の充電台側端子と、を備える、充電台を提供する。
【０００９】
また、本開示は、充電台と、前記電気接触面を表出させた前記受電部が前記凹部に挿入されるハンドセットと、を備える、無線電話機を提供する。
【発明の効果】
【００１０】
本開示によれば、充電台において、より安定した充電動作を行うことができる。
【図面の簡単な説明】
【００１１】
【図１】実施の形態１に係る無線電話機の外観斜視図
【図２】図１の側断面図
【図３】図１に示すハンドセットを背面側から見た斜視図
【図４】図１に示す充電台の斜視図
【図５】図４の要部拡大図
【図６】図４の上部ケースが取り外された充電台の斜視図
【図７】ハンドセットが挿入される前の待機時における充電台の側断面図
【図８】第１の充電台側端子が接触を開始したハンドセットの挿入途中における充電台の側断面図
【図９】第２の充電台側端子が接触を開始したハンドセットの挿入途中における充電台の側断面図
【図１０】ハンドセットの挿入が完了して充電状態となった充電台の側断面図
【図１１】充電台側端子の動作説明図
【図１２】変形例に係る充電台側端子の動作説明図
【発明を実施するための形態】
【００１２】
以下、適宜図面を参照しながら、本開示に係る充電台および無線電話機の構成および作用を具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１３】
図１は、実施の形態１に係る無線電話機１１の外観斜視図である。実施の形態１に係る無線電話機１１は、充電台１３と、ハンドセット１５と、を主要な構成として有する。実施の形態１に係る充電台１３は、本体部１７と、充電台側端子と、を主要な構成として有する。
【００１４】
充電台１３は、本体部１７が、例えば樹脂製の下部ケース１９と、例えば樹脂製の上部ケース２１とを有する。上部ケース２１には、上面中央を凹ませた凹部２３が形成される。凹部２３には、ハンドセット１５の電気接触面２５（図３参照）の表出させた受電部２７が挿入される。
【００１５】
図２は、図１の側断面図である。凹部２３の低壁には、一対の嵌合凸部２９が突出して形成される。一対の嵌合凸部２９は、ハンドセット１５の受電部２７が凹部２３に挿入されることにより、受電部２７の下面で開口する四角形の受電開口部３１に進入する。
【００１６】
ハンドセット１５は、樹脂製の筐体３３を有する。筐体３３は、上下に長い扁平な略直方体状で形成される。筐体３３の表面には、受話部３５、表示部３７、ファンクションキー３９、選択キー４１、テンキー４３、送話部４５等が上部から下部に向かって順に配置される。筐体３３の内部には、送受話を無線により可能とするための電子部品４７、各種の制御回路が実装された基板４９、電源等が収容されている。
【００１７】
図３は、図１に示すハンドセット１５を背面側から見た斜視図である。筐体３３は、受電部２７に設けられた受電開口部３１の内方に、一対の電気接触面２５が表出する。電気接触面２５は、電源回路に接続されるプラス側とマイナス側のそれぞれの受電端子５１に形成されている。充電台１３の凹部２３に突出する一対の嵌合凸部２９は、これら一対の電気接触面２５を中央に挟んで受電開口部３１の両側に進入する。
【００１８】
図４は、図１に示す充電台１３の斜視図である。凹部２３の一対の嵌合凸部２９の間には、嵌合凸部２９よりも少し低い隔壁５３が、突出して形成される。隔壁５３と両側の嵌合凸部２９との間には、一対の受電端子進入間隙５５が形成される。一対の受電端子進入間隙５５は、それぞれが受電部２７の挿入方向に切り込まれている。これにより、受電端子進入間隙５５は、ハンドセット１５の受電部２７が凹部２３に挿入されると、受電部２７に設けられた一対の受電端子５１のそれぞれの電気接触面２５が進入可能となっている。
【００１９】
図５は、図４の要部拡大図である。一対の受電端子進入間隙５５には、２本の充電台側端子のそれぞれの接触部５７が配置される。即ち、充電台側端子は、プラス側に２本、マイナス側に２本の合計４つが、一対の受電端子進入間隙５５にそれぞれの接触部５７を配置している。なお、接触部５７は2本以上の３本や４本であっても構わない。
【００２０】
隔壁５３の上端には、カバー５９の揺動端下面が当接している。カバー５９は、隔壁５３の上端に当接する覆い板６１を有する。覆い板６１の上面略中央には、垂直に起立する略三角形の押下板部６３が形成される。覆い板６１の下端には、支持脚部６５（図７参照）が形成される。支持脚部６５は、覆い板６１と反対側の端に形成された揺動軸６７（図７参照）が、下部ケース１９に設けられた軸受部６９（図７参照）に揺動自在に支持される。揺動軸６７は、中心軸がハンドセット１５の電気接触面２５と平行で、かつ受電部２７の挿入方向に直交方向となる。カバー５９は、この揺動軸６７を中心に揺動することにより、充電台側端子を覆う位置と、充電台側端子を表出させる位置とにわたって凹部２３に移動自在に設けられる。
【００２１】
カバー５９は、通常時（例えばハンドセット１５が挿入されていない時）、カバースプリング７１（図７参照）により、覆い板６１の揺動端下面が図５に示すように、隔壁５３の上端に当接する方向に付勢される。これにより、カバー５９は、通常時には、充電台側端子を覆っている。そして、カバー５９は、ハンドセット１５の受電部２７が凹部２３に挿入されると、押下板部６３が受電部２７の下面に押圧されて、充電台側端子を表出させる位置に揺動される（図９参照）。
【００２２】
図６は、図４の上部ケース２１が取り外された充電台１３の斜視図である。充電台側端子は、例えばねじりコイルばねにより形成される。充電台側端子は、受電部２７の挿入動作に伴って電気接触面２５を相対的に摺動する。
【００２３】
なお、本明細書において、「相対的に摺動」とは、実際には充電台１３に保持される充電台側端子に対して、電気接触面２５が移動するが、電気接触面２５が停止側と仮定すれば接触部５７が移動する意味を有する。
【００２４】
充電台側端子は、受電部２７の挿入完了により摺動を停止した位置で電気接触面２５に導通接続される。充電台側端子は、プラス側とマイナス側のそれぞれの受電端子５１に対して、１本または複数本（例えば２本）を配置させることができる。
【００２５】
充電台１３は、受電部２７の挿入完了により摺動を停止した位置で電気接触面２５に導通接続される１本または複数本の充電台側端子を備えることができる。
【００２６】
実施の形態１に係る充電台１３は、受電部２７の挿入完了により１本の摺動した後の電気接触面２５の摺動済み面に少なくとも他の１本が導通接続される２本の充電台側端子を備える。
【００２７】
なお、充電台１３は、受電部２７の挿入完了によりそれぞれが電気接触面２５に導通接続される２本の充電台側端子を備える構成としてもよい。
【００２８】
ここで、２つの充電台側端子は、摺動方向前方側の１本を第１の充電台側端子７３と称し、摺動方向後方側の他の１本を第２の充電台側端子７５と称す。なお、充電台側端子は、符号は省略し、第１の充電台側端子７３および第２の充電台側端子７５を含む総称として用いる。
【００２９】
充電台側端子は、例えば導電性を有する材料からなる。導電性を有する材料としては、例えばベリリウム銅、リン青銅などの電気抵抗値の低いばね合金が用いられる。これらの表面には、ニッケルメッキまたはニッケルメッキの上に金メッキが施されてもよい。充電台側端子としては、他にも、バネ鋼やステンレスを使用することもできる。
【００３０】
第１の充電台側端子７３と第２の充電台側端子７５のそれぞれを形成しているねじりコイルばねは、ばね素線の巻かれたコイルばね７７の一方が基端側腕部７９となり、他方が先端側腕部８１となる。充電台側端子は、コイルばね７７の内径側が、充電台１３の下部ケース１９に形成された案内棒８３（図７参照）の外径側に外挿されて支持される。
案内棒８３は、中心軸がハンドセット１５の電気接触面２５と平行で、且つ受電部２７の挿入方向に直交方向となる。充電台側端子は、基端側腕部７９が充電台１３に保持され、先端側腕部８１が自由端となる。それぞれの基端側腕部７９には、商用電源が適正な電圧に変圧されて接続される。
【００３１】
第１の充電台側端子７３および第２の充電台側端子７５は、それぞれの先端側腕部８１に、略Ｕ字状の摺動曲げ部８５が形成される。摺動曲げ部８５は、ハンドセット１５の電気接触面２５と平行で、かつハンドセット１５の挿入方向に直交方向で延在する接触部５７を有する。上記したように、プラス側とマイナス側のそれぞれの受電端子進入間隙５５には、この接触部５７が２本ずつ配置されている（図５参照）。なお、接触部５７は２本以上の３本や４本であっても構わない。
【００３２】
第１の充電台側端子７３と第２の充電台側端子７５は、Ｕ字形を左右反転させた第１の充電台側端子７３の内側に、７字形の小さい第２の充電台側端子７５を設けることで、それぞれの接触部５７が平行となるように配置されている。
【００３３】
充電台１３は、１本の充電台側端子（つまり、第１の充電台側端子７３）の電気接触面２５に対する押圧力が、他の１本の充電台側端子（つまり、第２の充電台側端子７５）の電気接触面２５に対する押圧力よりも大きく設定されることが好ましい。
【００３４】
また、充電台１３は、１本の充電台側端子（つまり、第１の充電台側端子７３）のばね荷重が、他の１本の充電台側端子（つまり、第２の充電台側端子７５）のばね荷重よりも大きく設定されることが好ましい。
【００３５】
また、充電台１３は、２本の充電台側端子のうち、１本の充電台側端子（つまり、第１の充電台側端子７３）が電気接触面２５から外れた位置で停止してもよい。
【００３６】
次に、充電台１３の動作を説明する。
【００３７】
図７は、ハンドセット１５が挿入される前の待機時における充電台１３の側断面図である。充電台１３は、待機時、第１の充電台側端子７３と第２の充電台側端子７５とが、カバー５９により覆われている。これにより、第１の充電台側端子７３および第２の充電台側端子７５は、凹部２３の上部開口から進入する汚れの付着が抑制されている。
【００３８】
図８は、第１の充電台側端子７３が接触を開始したハンドセット１５の挿入途中における充電台１３の側断面図である。ハンドセット１５の受電部２７が凹部２３に挿入されると、カバー５９の押下板部６３が押下される。押下板部６３が押下されたカバー５９は、揺動軸６７を中心に回転して下部ケース１９に押し込められ、第１の充電台側端子７３および第２の充電台側端子７５を表出させる。同時に、凹部２３に進入した受電部２７の受電開口部３１に、先ず、第１の充電台側端子７３が進入する。受電開口部３１に進入した第１の充電台側端子７３は、受電開口部３１の内方に位置する電気接触面２５に接触を開始する。
【００３９】
図９は、第２の充電台側端子７５が接触を開始したハンドセット１５の挿入途中における充電台１３の側断面図である。更に受電部２７が凹部２３に挿入されると、第１の充電台側端子７３が電気接触面２５を上方へ向かって摺動する。続いて第２の充電台側端子７５が第１の充電台側端子７３の接触開始位置よりも後方側で電気接触面２５に接触を開始する。受電部２７の挿入が完了するまでの間、第１の充電台側端子７３と第２の充電台側端子７５とは、電気接触面２５を上方へ向かって共に摺動する。
【００４０】
図１０は、ハンドセット１５の挿入が完了して充電状態となった充電台１３の側断面図である。受電部２７の挿入が完了すると、ハンドセット１５は、充電状態となる。実施の形態１においては、充電状態で、第１の充電台側端子７３が摺動した後の清浄な摺動済み面に、第２の充電台側端子７５が停止し、第１の充電台側端子７３と第２の充電台側端子７５とが共に電気接触面２５に導通接続状態となる。これにより、充電台１３から充電台側端子、電気接触面２５を介してハンドセット１５の電源回路に充電が行われる。
【００４１】
次に、上記した実施の形態１に係る無線電話機１１の作用を説明する。
【００４２】
無線電話機１１において、充電台１３は、電気接触面２５の表出するハンドセット１５の受電部２７が挿入される凹部２３を有した本体部１７を有する。充電台１３は、ねじりコイルばねにより形成されて凹部２３に設けられ、受電部２７の挿入動作に伴って電気接触面２５を相対的に摺動し、受電部２７の挿入完了により摺動を停止した位置で電気接触面２５に導通接続される第１の充電台側端子を有する。充電台１３は、ねじりコイルばねにより形成されて凹部２３に設けられ、受電部２７の挿入動作に伴って電気接触面２５を相対的に摺動する第２の充電台側端子を有する。
【００４３】
この充電台１３では、凹部２３に、第１，第２の複数本の充電台側端子が設けられる。充電台側端子は、凹部２３にハンドセット１５の受電部２７が挿入開始されると、接触部５７が先ず電気接触面２５の挿入方向先端側に接触する。電気接触面２５は、ハンドセット１５が挿入されるに従って接触部５７の変位量（即ち、ばね応力）が徐々に増す方向で傾斜して受電部２７に設けられている。
【００４４】
電気接触面２５の挿入方向先端側に接触した充電台側端子は、受電部２７の挿入動作に伴って電気接触面２５を相対的に摺動しながら、電気接触面２５に徐々に押し込まれる。
【００４５】
充電台側端子は、接触部５７が徐々に押し込まれると、コイルばね７７を巻き込む方向にねじられる。充電台側端子は、この際に蓄積される弾性復元力（ばね応力）により、接触部５７が電気接触面２５の挿入方向先端側から挿入方向後端側に渡って摺動する。これにより、充電台側端子は、線状の接触部５７が、ばね素線の軸線に直交方向で移動することで、電気接触面２５に付着していた異物を面状範囲で除去（セルフクリーン）する。
【００４６】
また、充電台側端子は、受電部２７の挿入完了により、電気接触面上での摺動を停止する。このとき、異物は、接触部５７よりも摺動方向の下流側へ押し退けられている。接触部５７は、異物が押し退けられた後の電気接触面２５で停止する。その結果、充電台側端子は、接触部５７が異物を押し退けた後の清浄な電気接触面２５で停止するので、従来構成で懸念される移動方向の反転に伴う汚れの再付着を抑制しながら、電気接触面２５に安定して導通接続させることができる。
【００４７】
以上の作用は、充電台側端子が１本の場合に得られる端子単体の作用である。充電台側端子は、この端子単体の作用により、移動方向の反転に伴う異物の介在による導通不良が低減し、導通信頼性が向上する。
【００４８】
従って、充電台１３は、充電台側端子が、電気接触面２５に対して複数本、例えば２本設けられることにより、確率的には、１本の場合に比べ導電不良を半減させ、導通信頼性を倍増させることができる。従って、充電台１３は、より安定した充電動作を行うことができる。
【００４９】
また、実施の形態１において、充電台１３は、電気接触面２５の表出するハンドセット１５の受電部２７が挿入される凹部２３を有した本体部１７を有する。充電台１３は、ねじりコイルばねにより形成されて凹部２３に設けられ、受電部２７の挿入動作に伴って電気接触面２５を相対的に摺動する２本の充電台側端子を有する。第１の充電台側端子７３は、受電部２７の挿入動作により最初に摺動する。第２の充電台側端子７５は、受電部２７の挿入完了により、第１の充電台側端子７３が摺動した後の電気接触面２５の摺動済み面に導通接続される。
【００５０】
この充電台１３では、２本の充電台側端子のそれぞれの接触部５７が、一つの電気接触面２５に対して、受電部２７の挿入方向に沿って縦並びで（つまり、タンデム）配置される。２つの接触部５７を備えた充電台１３では、１つの接触部５７を備えた充電台１３に比べ、上記のように、導通信頼性を倍増できる。
【００５１】
また、この充電台１３では、第１の充電台側端子７３が摺動した後の電気接触面２５の摺動済み面に、第２の充電台側端子７５が導通接続される。即ち、充電台１３は、第１の充電台側端子７３の摺動した後の電気接触面２５の摺動済み面に、少なくとも第２の充電台側端子７５が導通接続される。「少なくとも第２の充電台側端子７５が」とは、第１の充電台側端子７３は、電気接触面２５から外れてもよい意である。この場合、第１の充電台側端子７３は、導通機能を有しなくてもよい。つまり、第２の充電台側端子７５のみが電気接触面２５と電気的な導通状態となればよい。勿論、第１の充電台側端子７３は、第２の充電台側端子７５と共に電気接触面２５に電気的な導通状態となってもよい。
【００５２】
図１１は、充電台側端子の動作説明図である。実施の形態１において、第１の充電台側端子７３と第２の充電台側端子７５とは、第１の充電台側端子７３の摺動領域をＡ、第２の充電台側端子７５の摺動領域をＢとした場合、摺動領域Ａの摺動方向後部が、摺動領域Ｂの摺動方向前部で重なり部Ｃとなってオーバーラップする。つまり、この充電台１３では、第１の充電台側端子７３が異物を除去した清浄な摺動済み面に、第２の充電台側端子７５を導通接続させることができる。これにより、充電台１３は、異物の介在による導通不良を更に低減させ、導通信頼性を更に向上させることができる。
【００５３】
また、充電台１３は、電気接触面２５の表出したハンドセット１５の受電部２７が挿入される凹部２３を有した本体部１７を有する。充電台１３は、ねじりコイルばねにより形成されて凹部２３に設けられ、受電部２７の挿入動作に伴って電気接触面２５を相対的に摺動し、受電部２７の挿入完了によりそれぞれが電気接触面２５に導通接続される２本の充電台側端子とを備える。
【００５４】
この充電台１３では、２本の充電台側端子のそれぞれの接触部５７が、一つの電気接触面２５に対して、受電部２７の挿入方向に沿って縦並びで（つまり、タンデム）配置される。
【００５５】
この充電台１３は、２本の充電台側端子のそれぞれが電気接触面２５に導通接続される。即ち、充電台１３は、第１の充電台側端子７３と第２の充電台側端子７５のそれぞれが電気接触面２５に導通接続される。第１の充電台側端子７３と第２の充電台側端子７５とは、第１の充電台側端子７３の摺動領域をＡ、第２の充電台側端子７５の摺動領域をＢとした場合、摺動領域Ａと摺動領域Ｂが重ならない。つまり、この変形例の充電台１３では、第１の充電台側端子７３と第２の充電台側端子７５のそれぞれが、一つの電気接触面２５の異なる部分で個別に異物を除去する。第１の充電台側端子７３と第２の充電台側端子７５は、それぞれが異物を除去した清浄な２つの摺動済み面に、それぞれが導通接続する。
【００５６】
２本の充電台側端子を備えたこの変形例による充電台１３では、１本の充電台側端子を備えた充電台１３に比べ、上記のように、導通信頼性を倍増できる。
【００５７】
また、充電台１３は、充電台側端子を覆う位置と充電台側端子を表出させる位置とにわたって凹部２３に移動自在に設けられ、凹部２３に挿入される受電部２７に押圧されて充電台側端子を表出させる位置に移動されるカバー５９を有する。
【００５８】
この充電台１３では、凹部２３に、充電台側端子を覆う位置と充電台側端子を表出させる位置とに渡って移動自在なカバー５９が設けられる。カバー５９は、凹部２３に挿入されるハンドセット１５の受電部２７に押圧されて、充電台側端子を表出させる。従って、充電台１３は、ハンドセット１５が挿入されない状態では、充電台側端子がカバー５９により覆われる。これにより、充電台側端子は、ハンドセット１５が挿入されていない状態において、外部から凹部２３へ進入した異物等の汚れが付着することを抑制できる。
【００５９】
また、充電台１３は、変形例として、２本の充電台側端子のうち、第１の充電台側端子７３が電気接触面２５から外れた位置で停止する構成としてもよい。
【００６０】
図１２は、変形例に係る充電台側端子の動作説明図である。この充電台１３では、１本の充電台側端子（上記の第１の充電台側端子７３）が、電気接触面２５から外れた位置で停止する。この時、第２の充電台側端子７５は、第１の充電台側端子７３の摺動した後の電気接触面２５の清浄な摺動済み面に、停止して導通接続される。
【００６１】
第１の充電台側端子７３は、電気接触面２５から外れた位置へ移動することにより、電気接触面２５を摺動することにより除去した異物を、電気接触面２５から離れた位置へ排出できる。この離れた位置は、異物集積部８７とすることができる。その結果、除去した異物等を電気接触面２５へ再付着しにくくできる。
【００６２】
また、この変形例では、第１の充電台側端子７３が電気接触面２５に接触しなくなるので、電気接触面２５は、第１の充電台側端子７３から押圧されなくなる。その結果、電気接触面２５からの押し込み荷重が第２の充電台側端子７５のみに加わることになり、第２の充電台側端子７５がより強い押圧力で電気接触面２５と導通接続可能となる。これは、電気接触面２５からの押し込み荷重を、２本の充電台側端子で分担するよりも、１本の充電台側端子で受ける方の荷重が大きくなるためである。
【００６３】
また、充電台１３では、第１の充電台側端子７３の電気接触面２５に対する押圧力が第２の充電台側端子７５の電気接触面２５に対する押圧力よりも大きい。
【００６４】
この充電台１３では、最初に電気接触面２５を摺動する１本の充電台側端子（上記の第１の充電台側端子７３）の電気接触面２５に対する押圧力が、他の１本の充電台側端子（上記の第２の充電台側端子７５）の電気接触面２５に対する押圧力よりも大きく設定される。ここでの押圧力は、ねじりコイルばねの常用応力である。第１の充電台側端子７３は、電気接触面２５に対する押圧力を大きくすることにより、第２の充電台側端子７５よりも異物除去能力を大きくできる。その結果、第１の充電台側端子７３の大きな異物除去能力により異物をほぼ除去した後の清浄な電気接触面２５に、第２の充電台側端子７５を導通接続させることができる。これにより、第１の充電台側端子７３と第２の充電台側端子７５の異物除去能力が逆であった場合の、異物取り残し状態での電気接触面２５と第２の充電台側端子７５の導通接続を抑制できる。
【００６５】
また、充電台１３では、第１の充電台側端子７３のばね荷重が第２の充電台側端子７５のばね荷重よりも大きい。
【００６６】
この充電台１３では、最初に電気接触面２５を摺動する１本の充電台側端子（上記の第１の充電台側端子７３）のばね荷重が、他の１本の充電台側端子（上記の第２の充電台側端子７５）のばね荷重よりも大きく設定される。第１の充電台側端子７３は、ばね荷重を大きくすることにより、第２の充電台側端子７５よりも異物除去能力を大きくすることができる。即ち、摺動時に異物を強い力で除去できる。その結果、第１の充電台側端子７３の大きな異物除去能力によって異物を除去した後の清浄な電気接触面２５に、第２の充電台側端子７５を導通接続させることができる。これにより、第１の充電台側端子７３と第２の充電台側端子７５の異物除去能力が逆であった場合の、異物取り残し状態での電気接触面２５と第２の充電台側端子７５の導通接続を抑制できる。
【００６７】
また、第１の充電台側端子７３は、第２の充電台側端子７５よりもばね荷重を大きくすることにより、大きなばね応力（即ち、異物除去能力）を得ながら、寿命を長くする（耐久性を高める）こともできる。
【００６８】
また、無線電話機１１は、充電台１３と、電気接触面２５を表出させた受電部２７が凹部２３に挿入されるハンドセット１５と、を備える。
【００６９】
この無線電話機１１では、充電台側端子が、異物を押し退けた後の電気接触面２５で停止するので、移動方向の反転に伴う汚れの再付着を抑制しながら、電気接触面２５に安定して導通接続される。これにより、異物の介在による導通不良が低減し、充電時の導通信頼性を向上させることができる。
【００７０】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。
【産業上の利用可能性】
【００７１】
本開示は、より安定した充電動作を行うことができる充電台および無線電話機として有用である。
【符号の説明】
【００７２】
１１  無線電話機
１３  充電台
１５  ハンドセット
１７  本体部
２３  凹部
２５  電気接触面
２７  受電部
５９  カバー
７３  第１の充電台側端子
７５  第２の充電台側端子
【図１】
2020129875.tif 000003
【図２】
2020129875.tif 000004
【図３】
2020129875.tif 000005
【図４】
2020129875.tif 000006
【図５】
2020129875.tif 000007
【図６】
2020129875.tif 000008
【図７】
2020129875.tif 000009
【図８】
2020129875.tif 000010
【図９】
2020129875.tif 000011
【図１０】
2020129875.tif 000012
【図１１】
2020129875.tif 000013
【図１２】
2020129875.tif 000014